(57)【要約】【課題】塗布液を収容した容器に取り付けられるキャップ部上に、複数の板状櫛歯が起立し、該板状櫛歯の厚み方向に列設されている櫛付キャップにおいて、毛髪等の被塗布体における櫛通りを向上させ、塗布液の塗布量を向上させる。【解決手段】塗布液を収容した容器１に取り付けられるキャップ部２０と、キャップ部２０上に起立した複数の板状櫛歯３１が、該板状櫛歯３１の厚み方向に列設されてなる櫛歯部３０とからなる櫛付キャップ１０Ａであって、板状櫛歯３１が容器１の内部に連通する通液路３２を有し、通液路３２の一端が板状櫛歯３１の先端部において塗布液の吐出孔３３として開口し、板状櫛歯３１がその基部３６において一列に配列し、先端部３５が幅狭となり、該先端部３５が千鳥配列となっている。【選択図】　　図１
2004065936.tif 000002
【特許請求の範囲】
【請求項１】
塗布液を収容した容器に取り付けられるキャップ部と、キャップ部上に起立した複数の板状櫛歯が、該板状櫛歯の厚み方向に列設されてなる櫛歯部とからなる櫛付キャップであって、
板状櫛歯が容器内部に連通する通液路を有し、通液路の一端が板状櫛歯の先端部において塗布液の吐出孔として開口し、
板状櫛歯がその基部において一列に配列し、先端部が幅狭となり、該先端部が千鳥配列となっている櫛付キャップ。
【請求項２】
隣り合う板状櫛歯間の櫛歯基面に、その中央部が板状櫛歯の縁部側に対して凹んだ液受け部が形成されている請求項１記載の櫛付キャップ。
【請求項３】
キャップ部の頂面に櫛歯部を囲む凸条が形成されている請求項１記載の櫛付キャップ。
【請求項４】
隣り合う板状櫛歯同士の対向面に、長手方向に延びたリブが形成されている請求項１記載の櫛付キャップ。
【請求項５】
板状櫛歯の先端部の頂部が、一列に配列している請求項１記載の櫛付キャップ。
【請求項６】
板状櫛歯の先端部が、細径の円柱状の頂部を有する請求項１記載の櫛付キャップ。
【請求項７】
請求項１〜６のいずれかに記載の櫛付キャップを、塗布液を収容した容器に装着した塗布用具。
【請求項８】
塗布液が、染毛剤又は毛髪脱色剤である請求項７記載の塗布用具。
【発明の詳細な説明】
【０００１】
【発明の属する技術分野】
本発明は、塗布液を収納した容器の口部に取り付けられ、その塗布に用いられる櫛付キャップと塗布用具に関する。
【０００２】
【従来の技術】
従来、ヘアカラー、ヘアマニュキュア等の毛髪染毛剤、毛髪脱色剤、スタイリング剤等の毛髪化粧料を毛髪に塗布する塗布用具として、図６に示すように、毛髪化粧料を収納したスクイズ容器１の口部２に取り付けられる櫛付キャップ１０Ｘが使用されている。
【０００３】
この櫛付キャップ１０Ｘは、スクイズ容器１の口部２に螺合するキャップ部２０と櫛歯部３０とからなり、櫛歯部３０は、キャップ部２０の頂面２１に起立した複数の板状櫛歯３１が、該板状櫛歯３１の厚み方向に列設されたものとなっている。同図（ｂ）に示したように、板状櫛歯３１には容器１の内部に連通する毛髪化粧料の通液路３２が形成されており、通液路３２の一端が板状櫛歯３１の先端部において毛髪化粧料の吐出孔３３として開口している。
【０００４】
この櫛付キャップ１０Ｘの使用時には、スクイズ容器１を倒立させて櫛歯部３０を毛髪に当て、容器１を押圧することにより吐出孔３３から毛髪化粧料を吐出させつつ、櫛歯部３０で毛髪を梳く。これにより、毛髪化粧料の吐出操作と塗布操作を同時にできるので、毛髪化粧料の毛髪への塗布を簡便に行うことが可能となる。
【０００５】
また、このような櫛付キャップにおいて、櫛通りをよくするために、図７に示したように、各板状櫛歯３１の下半分に板状櫛歯３１の幅を狭めた欠部３４を形成し、隣り合う板状櫛歯３１同士で欠部３４が左右交互に互い違いとすることが提案されている（特許文献１）。
【０００６】
【特許文献１】特開２００１−１２０３３９号公報
【０００７】
【発明が解決しようとする課題】
しかしながら、図７に示したように、板状櫛歯３１の下半分に欠部３４を形成すると、板状櫛歯３１の基部側の剤保持性が低下し、毛髪のボリュームのある部分に毛髪化粧料を十分に塗布することができない。
【０００８】
一方、毛髪への塗布量を多くするには、板状櫛歯３１同士の間隔を狭めればよいが、板状櫛歯３１同士の間隔を狭めると櫛通りが低下する。
【０００９】
これに対し、本発明は、板状櫛歯が、該板状櫛歯の厚み方向に列設した櫛歯部を有する櫛付キャップを取り付けた容器を用いて、毛髪化粧料その他の塗布液を毛髪等の被塗布体に塗布する際に、被塗布体への塗布量を十分に確保しつつ櫛通りを改善することを目的とする。
【００１０】
【課題を解決するための手段】
キャップ部上に起立した複数の板状櫛歯が、該板状櫛歯の厚み方向に列設されている櫛付キャップにおいて、板状櫛歯をその基部においては一列に重なるように配列するが、先端部は幅狭とし、その幅狭の先端部が隣り合う板状櫛歯同士で互い違いとなる千鳥配列とすると、板状櫛歯の先端部は幅狭で、隣り合う板状櫛歯同士の間隔が広くなるので櫛通りがよく、かつ板状櫛歯の基部においては、板状櫛歯の幅が広く、隣合う板状櫛歯同士の間隔が狭くなるので剤保持性が向上し、毛髪化粧料等の塗布液の塗布量が低下しないことを本発明者は見出した。
【００１１】
即ち、本発明は、塗布液を収容した容器に取り付けられるキャップ部と、キャップ部上に起立した複数の板状櫛歯が、該板状櫛歯の厚み方向に列設されてなる櫛歯部とからなる櫛付キャップであって、
板状櫛歯が容器内部に連通する通液路を有し、通液路の一端が板状櫛歯の先端部において塗布液の吐出孔として開口し、
板状櫛歯がその基部において一列に配列し、先端部が幅狭となり、該先端部が千鳥配列となっている櫛付キャップを提供する。
【００１２】
また、本発明は、上述の櫛付キャップを、塗布液を収容した容器に装着した塗布用具を提供する。
【００１３】
【発明の実施の形態】
以下、図面を参照しつつ、本発明を詳細に説明する。なお、各図中、同一符号は同一又は同等の構成要素を表している。
【００１４】
図１（ａ）は、本発明の一実施例の櫛付キャップ１０Ａをスクイズ容器１に取り付けた本発明の一実施例の塗布用具の部分斜視図であり、同図（ｂ）は櫛付キャップ１０Ａの上面図、同図（ｃ）、（ｄ）はそれぞれ櫛付キャップ１０Ａの断面図である。
【００１５】
この櫛付キャップ１０Ａは、スクイズ容器等の塗布液を収容した容器１の口部に螺合により取り付けられるキャップ部２０と、キャップ部２０の頂面２１上に起立した複数の板状櫛歯３１が、該板状櫛歯３１の厚み方向に列設されている櫛歯部３０からなっている。
【００１６】
なお、本発明において板状櫛歯とは、図１（ａ）に示すように、その厚みに比べて幅方向の面積が十分に大きい平板状の高剛性材料からなる櫛歯をいう。
【００１７】
この板状櫛歯３１には、容器１の内部に連通する、塗布液の通液路３２が形成されている。通液路３２の一端は、隣合う板状櫛歯３１の対向面の先端部３５に、塗布液の吐出孔３３として開口しており、その開口面は板状櫛歯３１の長手方向に対して平行となっている。このように吐出孔３３を、隣合う板状櫛歯３１の対向面に形成することにより、毛髪等の被塗布体を板状櫛歯３１で梳いた場合に、塗布液を効率よく被塗布体に付着させることができ、また、塗布している間に容器１を一時的に正立させた場合に、板状櫛歯３１に付着していた塗布液を、後述する液受け部３８に効率よく溜めることができる。
【００１８】
また、この櫛付キャップ１０Ａの特徴として、各板状櫛歯３１はその基部３６において同一幅に形成されており、一列に重なり合って配列しているが、先端部３５は、その頂部３５ａが右又は左に偏心するように幅狭に形成され、隣り合う板状櫛歯３１同士の右又は左に偏心した先端部３５は互い違いとなる千鳥配列になっている。このため、板状櫛歯３１の先端部３５において隣り合う板状櫛歯３１のピッチＷ１　は、板状櫛歯３１の基部３６において隣り合う板状櫛歯３１のピッチＷ２　の２倍となっている。したがって、この櫛付キャップ１０Ａを用いて塗布液を毛髪等の被塗布体に塗布する際の櫛通りは、板状櫛歯３１の先端部３５の櫛歯ピッチＷ１　が広いために良好となる。一方、櫛付キャップ１０Ａを用いて毛髪等を梳いている間に、板状櫛歯３１の基部３６にも毛髪等は通るようになり、板状櫛歯３１の基部３６に保持されていた塗布液が毛髪等に塗布されるところ、板状櫛歯３１の基部３６では、櫛歯ピッチＷ２　が狭く、また、板状櫛歯３１の幅も広い。よって、塗布液の毛髪等の被塗布体への塗布量が向上したものとなる。
これに対して、板状櫛歯３１の基部３６を先端部３５と同様に幅狭に形成すると、板状櫛歯３１が、先端部３５だけでなく、櫛歯全体として千鳥配列となり、基部３６のピッチが先端部３５のピッチＷ１と同様に広くなる。このため、毛髪等の被塗布体への塗布量が、単に基部３６を幅狭にしたことによって低下するだけでなく、基部３６のピッチが広がることによっても低下するので好ましくない。
【００１９】
櫛付キャップ１０Ａにおいて、キャップ部２０の頂面２１からの板状櫛歯３１の高さＬ１　を３０〜４０ｍｍとする場合に、各板状櫛歯３１が同一幅を有する基部３６の高さＬ０　は１０〜２０ｍｍとし、先端部３５の幅は、吐出孔３３近傍で基部３６の幅の１／２以下、特に３〜７ｍｍとすることが好ましい。また、基部３６に対して先端部３５の幅を狭めるにあたり、所定の高さＬ２　の基部から先端部３５の頂部３５ａにかけて徐々に幅を狭めてもよいが、櫛通りを向上させる点から、図示したように急激に狭めることが好ましい。
【００２０】
また、この櫛付キャップ１０Ａには、隣り合う板状櫛歯３１間の櫛歯基面３７に、その中央部が板状櫛歯３１の縁部側に対して凹んだ液受け部３８が形成されている。これにより、櫛付キャップ１０Ａを取り付けた容器１で塗布液を塗布する間に、一時的にその容器を正立後しばらく放置しても、板状櫛歯３１の表面に付着した塗布液は矢印Ｐのように液受け部３８に溜まるので、容器１の側面への液だれを防止することができる。さらに、液受け部３８に塗布液が溜まった後、再度この櫛付キャップ１０Ａを用いて塗布液を塗布すると、液受け部３８に溜まった塗布液を毛髪等の被塗布体に塗布できるので、塗布液の無駄をなくすことができる。
【００２１】
ここで、キャップ部２０の頂面２１からの板状櫛歯３１の高さＬ１　を前述と同様３０〜４０ｍｍとする場合に、液受け部３８の側壁３９のキャップ部２０の頂面２１からの高さＬ２　は１０〜２０ｍｍ、液受け部３８の深さＬ３　は３〜１０ｍｍとすることが、液だれを防止し、かつ櫛通りをよくする点から好ましい。液受け部３８の深さＬ３　が浅すぎると液だれを有効に防止することができず、反対に深すぎると溜まった塗布液が排出されにくくなるおそれがある。また、液受け部３８の側壁３９の高さＬ２　が高すぎるとＬ１　−Ｌ２　で求められる櫛歯先端部の長さが短くなり、毛髪をすいたり、かき分けたりする櫛としての機能が低下し、反対に低すぎると液受け部３８の深さＬ３　を十分に確保することができない。
【００２２】
なお、板状櫛歯３１の中央部の幅Ｌ４　、厚みＬ５　、間隔Ｌ６　には特に制限はなく、例えば、幅Ｌ４　１０〜２０ｍｍ、厚みＬ５　１〜３ｍｍ、間隔Ｌ６　１〜３ｍｍとする。
【００２３】
また、この櫛付キャップ１０Ａのキャップ部２０の頂面２１には、櫛歯部３０を囲む高さＬ７　１〜５ｍｍの凸条２２が形成されている。この凸条２２が無い場合には、板状櫛歯３１の縁辺を矢印Ｑのようにつたう少量の液だれが容器１の側面にまでつたうことを防止できないが、この凸条２２を設けることにより、かかる液だれが容器１の側面につたうことを防止できる。
【００２４】
図２（ａ）は、異なる態様の本発明の実施例の櫛付キャップ１０Ｂの斜視図であり、同図（ｂ）、（ｃ）はそれぞれ櫛付キャップ１０Ｂの断面図である。また、図３は、この櫛付キャップ１０Ｂの櫛歯部３０を形成する一つの板状櫛歯３１の斜視図である。
【００２５】
この櫛付キャップ１０Ｂは、図３に示したように、吐出孔３３よりも先端側の領域において板状櫛歯３１が肉薄になっており、吐出孔３３は、板状櫛歯３１の長手方向と垂直な開口面を有している。
【００２６】
また、隣り合う板状櫛歯３１同士の対向面に、長手方向に延びたリブ４０が形成されている。このリブ４０により板状櫛歯３１の表面積が増加し、板状櫛歯３１間の剤保持性が向上するので、塗布液を毛髪等の被塗布体へ十分に延ばして均一に塗布することが容易となる。また、容器１を正立させた場合に、このリブ４０により、板状櫛歯３１の表面に付着した塗布液を効率よく液受け部３８に誘導することが可能となる。
【００２７】
なお、このようなリブ４０を形成する場合、この櫛付キャップ１０Ｂを樹脂成型する際の金型構造としては、図３に矢印で示したように上下分割するものを使用することが好ましい。
【００２８】
図４は、さらに異なる実施例の櫛付キャップ１０Ｃの斜視図（ａ）、上面図（ｂ）、断面図（ｃ）、及び側面図（ｄ）である。
【００２９】
この櫛付キャップ１０Ｃにおいても、板状櫛歯３１の基部３６は一列に配列し、先端部３５は基部３６に対して幅狭となっている。また、隣り合う板状櫛歯３１の先端部３５は、全体として左右交互にずれて千鳥配列となっているが、その厚み方向に部分的に重なり、頂部３５ａが一列に配列している。
【００３０】
このように頂部３５ａが一列に配列していることにより、板状櫛歯３１で毛髪等の被塗布体を梳く場合に、所望の位置を狙って梳くことが容易となる。
【００３１】
なお、この櫛付キャップ１０Ｃのように隣り合う板状櫛歯３１同士で先端部３５の一部が厚み方向に重なっていても、実質的に先端部３５において隣り合う板状櫛歯３１のピッチＷ１　は、基部３６におけるピッチＷ２　の２倍となっている。
したがって、先端部３５でピッチが広いことにより櫛通りが良好となり、また、基部３６でピッチが狭く、板状櫛歯３１の幅が広いことにより、液保持性が高まり、被塗布体への塗布量を向上させることができる。
【００３２】
図５の櫛付キャップ１０Ｄは、図４の櫛付キャップ１０Ｃにおいて、板状櫛歯３１の先端部３５の頂部３５ａを細径の円柱状にしたものである。このように板状櫛歯３１の頂部３５ａを細径の円柱状にすることにより、板状櫛歯３１で毛髪等の被塗布体を梳く場合に、所望の位置を狙って梳くことがいっそう容易となる。また、頭皮に板状櫛歯３１が当たっている感触がわかりやすくなり、さらに、頭皮に塗布液がつくことを極力抑えつつ、髪の根元にまで塗布液を十分につけることが容易となる。
【００３３】
本発明の櫛付キャップを装着する容器１は、塗布液を収納でき、櫛付キャップを装着できればよく、例えば、合成樹脂製スクイズ容器とすることができる。
【００３４】
本発明の櫛付キャップを用いて塗布する塗布液の種類は、通液路３２を通して吐出孔３３から吐出させることができる粘度の液剤であれば特に限定されず、人毛あるいは獣毛に適用する種々のヘアカラー、ヘアマニュキュア等の染毛剤、脱色剤、シャンプー、リンス、トリートメント、スタイリング剤等の化粧料、犬や猫等の獣毛あるいは表皮に塗布する蚤取り剤等の薬液、天然あるいは合成の糸束あるいは房状製品の染色液、脱色液、マスキング液などの塗布に使用することができる。
【００３５】
特に、染毛剤又は毛髪脱色剤の塗布に用いると、櫛通りよく、十分な塗布量でそれらを塗布することができ、また、櫛付キャップに液受け部３８を設けた場合には、それらが容器の側面に液だれすることを防止し、周囲が不要に染色あるいは脱色されることを防止できるので好ましい。したがって、染毛剤又は毛髪脱色剤を収容した容器に本発明の櫛付キャップを装着した本発明の塗布用具は、毛髪化粧料製品として使い勝手がよく、製品価値の高いものとなる。
【００３６】
【発明の効果】
本発明の櫛付キャップによれば、板状櫛歯を列設した櫛歯部を有する櫛付キャップを取り付けた容器を用いて、毛髪化粧料その他の塗布液を毛髪等の被塗布体に塗布する際に、被塗布体への塗布量を十分に確保しつつ櫛通りを改善することができる。
【図面の簡単な説明】
【図１】実施例の櫛付キャップをスクイズ容器に取り付けた実施例の塗布用具の部分斜視図（ａ）、上面図（ｂ）及び断面図（ｃ）、（ｄ）である。
【図２】実施例の櫛付キャップの斜視図（ａ）及び断面図（ｂ）、（ｃ）である。
【図３】実施例の櫛付キャップの板状櫛歯の斜視図である。
【図４】実施例の櫛付キャップの斜視図（ａ）、上面図（ｂ）、断面図（ｃ）、及び側面図（ｄ）である。
【図５】実施例の櫛付キャップの斜視図（ａ）、上面図（ｂ）、断面図（ｃ）、及び側面図（ｄ）である。
【図６】従来の櫛付キャップを取り付けた塗布用具の斜視図（ａ）及び断面図（ｂ）である。
【図７】従来の櫛付キャップの斜視図である。
【符号の説明】
１　　スクイズ容器又は容器
２　　口部
１０Ａ、１０Ｂ、１０Ｃ、１０Ｄ　実施例の櫛付キャップ
２０　　キャップ部
２１　　頂面
２２　　凸条
３０　　櫛歯部
３１　　板状櫛歯
３２　　通液路
３３　　吐出孔
３５　　先端部
３５ａ　頂部
３６　　基部
３７　　櫛歯基面
３８　　液受け部
４０　　リブ
【図１】
2004065936.tif 000003
【図２】
2004065936.tif 000004
【図３】
2004065936.tif 000005
【図４】
2004065936.tif 000006
【図５】
2004065936.tif 000007
【図６】
2004065936.tif 000008
【図７】
2004065936.tif 000009